(57)【要約】【課題】  浴室において使用する部材を使用者が真に所望する位置に自在に変更できることで、利便性の向上が可能な浴室を提供することを目的とする。【解決手段】  本発明にかかる浴室１００の構成は、当該浴室に配置された浴槽１２０と、浴槽と隣接して配置される洗い場１１６とを備え、少なくとも当該浴室の洗い場に対応する壁面（１１２ａ、１１２ｂ、１１４ａ）に、水平方向もしくは垂直方向のいずれか一方または両方にそれぞれ複数のフック１７０が配列して設置されていることを特徴とする。【選択図】  図１
2010110457.tif 000002
【特許請求の範囲】
【請求項１】
当該浴室に配置された浴槽と、
前記浴槽と隣接して配置される洗い場とを備え、
少なくとも当該浴室の洗い場に対応する壁面に、水平方向もしくは垂直方向のいずれか一方または両方にそれぞれ複数のフックが配列して設置されていることを特徴とする浴室。
【請求項２】
前記壁面は、１つの壁面が１または複数の壁パネルから構成されており、
前記フックは、前記洗い場の隅部において直交する２枚の壁パネルに亘って設置されていることを特徴とする請求項１に記載の浴室。
【請求項３】
前記フックは、前記１つの壁面を構成する複数の壁パネルのうち、隣接する２枚以上の壁パネルに連続的に設置されていることを特徴とする請求項２に記載の浴室。
【請求項４】
前記フックは、前記壁パネルにおいて、前記洗い場に対応する領域から、該領域と隣接する領域である前記浴槽に対応する領域に亘って連続的に設置されていることを特徴とする請求項２に記載の浴室。
【請求項５】
前記フックは、大径の頭部と小径の軸部を有し、
前記フックの頭部を前記壁面から手前に引き出すことにより、該フックに部材を吊り下げ可能となり、
前記引き出した頭部を前記壁面に向かって押し込むことにより、前記軸部を該頭部または該壁面内に収納可能であることを特徴とする請求項１から４のいずれか１項に記載の浴室。
【発明の詳細な説明】
【技術分野】
【０００１】
本発明は、部材の設置位置を自在に変更可能な壁面を備える浴室に関する。
【背景技術】
【０００２】
従来から、シャンプーやリンスなど浴室で用いられる物品を収納するために、浴室には備え付けの収納棚やラックが設けられている。かかる収納棚やラックに、浴室で用いられる物品を収納することにより、浴室内を整理整頓し、利便性を向上することができる。
【０００３】
しかし、上記のように備え付けの収納棚やラックであると、例えば、収納棚やラックが浴室の壁面の上方に設置されていた場合、大人にとっては使い勝手がよいかもしれないが、大人と子供では身長が大きく異なるため、子供は収納棚やラックに手が届かない場合がある。したがって、浴室の壁面の上方に設置された収納棚やラックは、子供が使用できず、使い勝手が悪くなる可能性がある。
【０００４】
また例えば、収納棚やラックが浴室の壁面の下方に設置されていた場合、風呂イス等に座って体や髪を洗う使用者にとっては使い勝手がよいが、立って体や髪を洗う使用者にとっては使い勝手が悪い。
【０００５】
したがって、備え付けの収納棚やラックの設置位置が必ずしも使用者の使い勝手がよい位置であるとは限らない。また、使い勝手がよいか否かは使用者ごとに体型や感覚が異なるため、収納棚やラックをすべての使用者にとって使い勝手がよい位置に設置することは容易ではない。
【０００６】
更に、備え付けの収納棚やラックであると、これらを浴室の壁面から取り外せないためその清掃を行いづらい。故に、清掃に煩雑な手間がかかり、収納棚やラックが不衛生になりがちであった。
【０００７】
したがって、上述した不具合を解消するために、例えば特許文献１には、表面を隠蔽面とすると共に裏面側に収納部を形成した収納具と、浴室内に設けたフックとからなる浴室内の収納構造が開示されている。これによれば、浴室内において掃除具等の収納物を、浴室内に扉や蓋を設けることなく綺麗に収納できると共に、清掃やレイアウトの変更が簡単にできるとしている。
【０００８】
また例えば特許文献２には、壁面用機能部材に設けられた係止部が着脱自在に係止されて、壁面用機能部材を壁面に沿って支持する支持レールが、浴室壁面の壁面用機能部材取り付け予想位置に水平に固定されている浴室ユニットが開示されている。これによれば、棚やシャワーフック等の壁面用機能部材の位置の変更や増設などを容易に行うことができるとしている。
【０００９】
また例えば特許文献３には、少なくとも２種の異なる形状に形成され、浴室で使用する物を収容する複数の棚を、壁に係脱自在に取り付けた浴室が開示されている。これによれば、浴室の壁に取り付けられている棚を、簡単に係脱可能に取り付けることができ、異なる形状や色の棚の取付位置を自由に付け替えることができるとしている。
【特許文献１】特開２０００−３８８４５号公報
【特許文献２】特開２００３−９７０６９号公報
【特許文献３】特開２００４−２１５８０８号公報
【発明の開示】
【発明が解決しようとする課題】
【００１０】
しかし、特許文献１、２、および３に記載の技術であると、壁面への収納棚やラック等の収納のための部材（以下、収納部材と称する。）の設置位置を、フックや支持レール、軸受け部材等の取り付けるための部材（以下、取付部材と称する。）が設置されている位置にしか変更することができない。故に、使用者は、壁面に設置された取付部材の中から、最も好ましい位置に設置されている取付部材を選び、かかる取付部材を用いて壁面に収納部材を設置することとなる。したがって、収納部材のある程度の位置変更は可能であるが、使用者が真に所望する位置に自在に変更できるわけではない。
【００１１】
また、上記の収納部材が、必ずしも使用者が所望する位置に設置されているとは限らない。この場合、使用者は螺子等で固定された取付部材を壁面から取り外し、再度所望する位置に設置し直さなくてはならなくなるため、煩雑な手間を要する。そして、螺子等で固定された取付部材を壁面から外し、かかる取付部材を所望の位置に設置しなおすと、元の設置位置には螺子を外したことによる穴が生じるため、浴室内の美観を損ねてしまう。
【００１２】
また特許文献１に記載の技術であると、フックが浴室の壁面から突出しているため、フックが邪魔となり、浴室の壁面を清掃しづらい。また、フック自体を清掃するための手間も要する。
【００１３】
また特許文献２に記載の技術であると、壁面用機能部材が係止される支持レールは、下面が開口し、その断面が略Ａ字状の形状となっている。したがって、支持レール内部の清掃が困難であるため、支持レール自体が不衛生な状態となる可能性がある。更に、湿気が多く、換気が不十分になりがちな浴室ではカビ等の細菌類が繁殖しやすいため、支持レールがカビの温床となるおそれがある。
【００１４】
また特許文献３に記載の技術であると、軸受け部材が係合溝を有するため清掃が難しく、軸受け部材自体が不衛生な状態となる可能性がある。更に、軸受け部材に棚を取り付けていない、すなわち軸受け部材を使用していない場合、軸受け部材は壁面に露出した状態となるため、浴室内の美観が損なわれるおそれがある。
【００１５】
本発明は、このような課題に鑑み、浴室において使用する部材を使用者が真に所望する位置に自在に変更できることで、利便性の向上が可能な浴室を提供することを目的としている。
【課題を解決するための手段】
【００１６】
上記課題を解決するために、本発明にかかる浴室の代表的な構成は、当該浴室に配置された浴槽と、浴槽と隣接して配置される洗い場とを備え、少なくとも当該浴室の洗い場に対応する壁面に、水平方向もしくは垂直方向のいずれか一方または両方にそれぞれ複数のフックが配列して設置されていることを特徴とする。
【００１７】
上記構成によれば、複数設置されたフックのうち、使用者が所望する位置のフックに、浴室において使用する部材を吊り下げることが可能となる。したがって、使用者は、フックを用いてかかる部材の位置を自在に変更することができ、利便性が向上する。例えば、使用者がシャンプーやリンス等の物品を用いるのは、浴室の洗い場で体や髪を洗うときである。したがって、吊り下げる部材として、シャンプーやリンス等の物品を収納するための収納部材を用い、壁面に設置されたフックにかかる収納部材を吊り下げることにより、収納部材は、使用者が収納された物品を用いる際に最も使い勝手がよい位置に設置されることとなる。
【００１８】
またフックが壁面の水平方向に複数設置されることで、壁面に吊り下げる部材の位置を水平方向に自在に変更することができる。更に、水平方向に複数設置されたフックそれぞれに部材を吊り下げて複数の部材を設置することや、吊り下げに要するフックを水平方向に２つ以上必要とする部材を壁面に設置することが可能となる。
【００１９】
またフックが壁面の垂直方向に複数設置されることで、壁面に吊り下げる部材の位置を垂直方向に自在に変更することができる。更に、垂直方向に複数設置されたフックそれぞれに部材を吊り下げて複数の部材を設置することや、吊り下げに要するフックを垂直方向に２つ以上必要とする部材を壁面に設置することが可能となる。
【００２０】
またフックを、壁面の水平方向に複数且つ垂直方向に複数設置することにより、フックは壁面に略碁盤目状に設置されることとなる。これにより、壁面の水平方向且つ垂直方向、すなわち壁面上の所望の位置に部材を設置することができ、利便性を向上することが可能となる。
【００２１】
上記の壁面は、１つの壁面が１または複数の壁パネルから構成されており、フックは、洗い場の隅部において直交する２枚の壁パネルに亘って設置されているとよい。
【００２２】
上記構成によれば、設置されたフックを点とし、かかる点を水平方向に結ぶとその軌跡はＬ字状となる。したがって、Ｌ字状の軌跡を形成する複数のフックに、Ｌ字状の軸部材等を設置することが可能となり、高い強度を得ることができる。これにより、かかる軸部材を、手摺として使用すれば浴室での転倒事故を防止することができるし、タオル掛けとして使用すれば利便性を向上することができる。また、Ｌ字状の軌跡を形成する複数のフックに、三角コーナー等の２つの設置面を要する部材を設置することが可能となる。
【００２３】
上記のフックは、１つの壁面を構成する複数の壁パネルのうち、隣接する２枚以上の壁パネルに連続的に設置されているとよい。
【００２４】
上記構成によれば、フックが設置される面積が拡大されるため、部材を広範囲に設置することが可能となり、利便性が向上する。また、１つの壁パネルよりも幅が広い部材を壁面に設置することが可能となる。
【００２５】
上記のフックは、壁パネルにおいて、洗い場に対応する領域から、当該領域と隣接する領域である浴槽に対応する領域に亘って連続的に設置されているとよい。
【００２６】
かかる構成によれば、洗い場に対応する壁面（壁パネル）だけでなく、浴槽に対応する壁面（壁パネル）においてもフックが設けられるため、浴槽に対応する壁面にも部材を設置することが可能となる。したがって、浴槽に対応する壁面に例えば収納部材を設ければ、浴槽において子供が使用する玩具等を最も使い勝手よく収納することができる。
【００２７】
上記のフックは、大径の頭部と小径の軸部を有し、フックの頭部を壁面から手前に引き出すことにより、フックに部材を吊り下げ可能となり、引き出した頭部を壁面に向かって押し込むことにより、軸部を頭部または壁面内に収納可能であるとよい。
【００２８】
上記構成によれば、フックの頭部を壁面から手前に引き出すという簡単な操作で、フックを使用することが可能となる。また、フックの頭部を壁面に向かって押し込むという簡単な操作で、フックの軸部を頭部または壁面内に収納できる。これにより、フックは壁面上に頭部の厚み分だけ若干突出した状態となり、フック内部はほぼ密閉された状態となる。したがって、フック内部への水等の浸入を防ぐことができ、フック内部でのカビ等細菌類の繁殖を防止し、衛生状態を良好に保つことが可能となる。
【００２９】
また、フックの軸部収納時には、フックは壁面上に頭部の厚み分だけ若干突出した状態となることから、フックにより壁面上には微小な凸部が形成されるものの、凹部が形成されることはない。したがって、壁面の清掃が容易であり、且つ浴室の美観を損ねることがない。更に、フックが頭部を有することで、吊り下げられた部材はフックの頭部により掛止されるため、部材がフックから脱落することがない。
【発明の効果】
【００３０】
本発明によれば、浴室において使用する部材を使用者が真に所望する位置に自在に変更できることで、利便性の向上が可能な浴室を提供することができる。
【発明を実施するための最良の形態】
【００３１】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００３２】
図１は、本実施形態にかかる浴室１００を示す図である。なお、本実施形態においては、近年家庭に最も普及しているユニットバスを浴室１００として例示するがこれに限定するものではない。
【００３３】
図１に示すように、ユニットバスである浴室１００は、壁面で区画された空間であり、壁面１１２、１１４により構成される。なお、壁面１１２、１１４以外の壁面、および浴室１００外に設けられた脱衣所と通じるドアは、理解を容易にするため図示を省略する。
【００３４】
壁面１１２は、後述する浴槽１２０に対向する壁面である。壁面１１４は、後述する浴槽１２０に隣接し、水栓であるカラン１３０を備える壁面である。壁面１１２は、壁パネル１１２aおよび１１２ｂから構成され、壁面１１４は、壁パネル１１４ａおよび１１４ｂから構成される。壁パネル１１２a、１１２ｂおよび１１４ａは、後述する洗い場１１６に対応する壁パネルであり、壁パネル１１４ｂは、後述する浴槽１２０に対応する壁パネルである。
【００３５】
壁パネル１１２a、１１２ｂ、１１４ａおよび１１４ｂには後述するフック１７０が設けられている。これにより、使用者はフック１７０を用いて部材の設置位置を壁面上で自在に変更することが可能となる。
【００３６】
なお、本実施形態における壁面１１２および１１４を構成する壁パネルの数は、共に２つであるが、かかる数に限定するものではなく、壁面１１２および１１４は１つのパネルから構成されてもよいし、２以上の複数、例えば３つのパネルから構成されてもよい。また、壁パネルは短辺を水平とした状態で、水平方向に複数並設されているが、これに限定するものではなく、壁パネルの長辺を水平とした状態で、垂直方向に複数並設してもよい。
【００３７】
上述したように、壁面１１２および１１４は、共に２つの壁パネルから構成されているため、各々２つに分割されているように見えるが、本実施形態では、２つのパネルから構成される面を１つの壁面として説明する。
【００３８】
また浴室１００は、洗い場１１６、浴槽１２０、カラン１３０、シャワー１４０、照明１５０、鏡１６０、フック１７０、収納部材１９０を備える。
【００３９】
洗い場１１６は、後述する浴槽１２０と隣接して配置され、使用者が体や髪を洗う場所である。浴槽１２０は、湯が貯留され、使用者が入浴するための槽である。カラン１３０およびシャワー１４０は水栓であり、給湯装置（図示せず）から湯水が供給される。照明１５０は、浴室１００内の調光を行う機器である。鏡１６０は、使用者が自身の姿を視認するための部材である。
【００４０】
フック１７０は、後述するように大径の頭部１７２と小径の軸部１７６を有し、浴室１００内の壁面に所定間隔ごとに複数設置される。これにより、所定間隔ごとに複数設置されたフック１７０のうち、使用者が所望する位置のフック１７０の軸部１７６に、所望する部材、例えば収納部材１９０等を吊り下げ、部材を壁面に設置することが可能となる。またフック１７０が頭部１７２を有することで、吊り下げられた部材はフック１７０の頭部１７２により掛止されるため、部材のフック１７０からの脱落を防止することができる。
【００４１】
以下、フック１７０の詳細について説明する。図２は、フック１７０の詳細を示す図である。図２（ａ）はフック１７０の分解図であり、図２（ｂ）はフック１７０の斜視図であり、図２（ｃ）はフック１７０不使用時の側面図であり、図２（ｄ）はフック１７０使用時の側面図である。
【００４２】
図２（ａ）に示すように、フック１７０は、頭部１７２と、螺子１７４と、軸部１７６と、リング１７８と、ワッシャ１８０との、５つの部材から構成される。フック１７０を壁面に設置する際には、まず軸部１７６とリング１７８とワッシャ１８０を嵌合する。そして、軸部１７６の穴に螺子１７４を装嵌し、ワッシャ１８０を壁面に当接して螺子止めをすることにより、軸部１７６とリング１７８とワッシャ１８０が壁面に螺設される。螺設後に、頭部１７２をリング１７８に嵌合することにより、図２（ｂ）に示す状態となり、フック１７０が壁面に設置される。
【００４３】
フック１７０の壁面への設置後、かかるフック１７０は、使用されない場合には図２（ｃ）に示す状態となる。図２（ｃ）に示すように、フック１７０は、軸部１７６およびリング１７８が頭部１７２に収納され、頭部１７２とワッシャ１８０が接した状態となっている。これにより、フック１７０内部はほぼ密閉された状態となるため、フック１７０内部への水等の浸入を防ぐことができる。故に、フック１７０内部でのカビ等細菌類の繁殖を防止し、衛生状態を良好に保つことが可能となる。
【００４４】
また、図２（ｃ）のように不使用時のフック１７０（軸部１７６収納時）は、壁面上に頭部の厚み分だけ突出した状態となる（厳密には、ワッシャ１８０の厚みも含まれる）。故に、フック１７０により壁面上には微小な凸部が形成されるが、凹部が形成されることはない。したがって、フック１７０が壁面の清掃を妨げることがなく、且つ浴室の美観を損ねることがない。
【００４５】
更に、図２（ｃ）に示すようにフックの頭部１７２が切欠１７２ａを有することで、切欠１７２ａの部分に指を引っ掛け、頭部１７２を白抜き矢印方向に、すなわち壁面から手前に引き出すことができる。このようにして頭部１７２を引き出すと、フック１７０は図２（ｄ）に示す状態となり、軸部１７６が露出する。これにより、フック１７０に部材を吊り下げ可能となる。
【００４６】
そして、例えば部材を吊り下げる場所を変更する等、引き出したフック１７０を使用しなくなる場合には、引き出した頭部１７２を壁面に向かって押し込むことにより、軸部１７６は頭部１７２に収納され、図（ｃ）に示す状態に戻る。なお、本実施形態においては、軸部１７６は頭部１７２に収納されているが、これに限定するものではなく、軸部１７６を壁面内に収納するよう構成してもよい。
【００４７】
したがって、本実施形態にかかるフック１７０によれば、上述したように、フック１７０の頭部１７２を壁面から手前に引き出すという操作でフック１７０を使用することが可能となり、フック１７０の頭部１７２を壁面に向かって押し込むという操作でフック１７０の軸部１７６を頭部１７２に収納可能となる。したがって、いずれにおいても簡単な操作でフック１７０の状態を変更することができる。
【００４８】
図３は、フック１７０の軸部１７６の他の収納例を示す図である。図３（ａ）は、他の収納例におけるフック１７０の不使用時の側面図であり、図３（ｂ）は、他の収納例におけるフック１７０の使用時の側面図である。なお図３中、壁面をハッチングで示す。
【００４９】
本実施形態にかかるフック１７０は軸部１７６がフック１７０の頭部１７２に収納されるが、図３（ａ）に示すように、他の収納例では、壁面に収納部１８２を備え、軸部１７６は収納部１８２に収納されることにより、壁面に収納される。そして、フック１７０使用時には、本実施形態と同様に切欠１７２ａの部分に指を引っ掛け、頭部１７２を白抜き矢印方向に引っ張ることにより、図３（ｂ）に示すように頭部１７２は壁面から手前に引き出され、軸部１７６が露出する。これにより、フック１７０に部材を吊り下げ可能となる。
【００５０】
フック１７０は、壁面の水平方向に配列して複数設置されるとよい。これにより、壁面に吊り下げる部材の位置を水平方向に自在に変更し、使用者が所望する位置に部材を設置することができ、浴室１００での利便性が向上する。また、壁面の水平方向に複数の部材を設置したり、吊り下げに要するフック１７０を水平方向に２つ以上必要とする部材を壁面に設置したりすることが可能となる。
【００５１】
またフック１７０は、壁面の垂直方向に配列して複数設置されるとよい。これにより、壁面に吊り下げる部材の位置を垂直方向に自在に変更し、使用者が所望する位置に部材を設置することができ、浴室１００での利便性が向上する。また、壁面の垂直方向に複数の部材を設置することができ、吊り下げに要するフック１７０を垂直方向に２つ以上必要とする部材を壁面に設置したりすることが可能となる。
【００５２】
更に、上述したようにフック１７０を、壁面の水平方向に複数設置し、且つ垂直方向に複数設置するとよい。これにより、フック１７０は壁面に略碁盤目状に設置されることとなるため、壁面の水平方向且つ垂直方向の所望の位置に部材を設置することが可能となり、利便性が格段に向上する。
【００５３】
以下に、フック１７０の壁パネルへの設置位置について説明する。図６、７および８は、フック１７０の壁パネルへの設置位置を示す図である。なお、図６、７および８中、「縦組」とは、短辺を水平とした壁パネルを水平方向に並設した壁面の構成であり、「横組」とは、長辺を水平とした壁パネルを垂直方向に併設した壁面の構成のことである。
【００５４】
フック１７０は、少なくとも当該浴室１００の洗い場１１６に対応する壁パネル（壁面）に、複数配列して設置されるとよい。具体的には、図６（ａ）および（ｂ）に示すように配置される（図１においては、壁パネル１１２a、１１２ｂおよび１１４ａに複数配列して設置されている。）。
【００５５】
図６（ａ）は、短辺を水平とした壁パネルを水平方向に並設して壁面を構成し、洗い場１１６に対応する１つの壁パネルにフックを設置した例である。図６（ｂ）は、長辺を水平とした壁パネルを垂直方向に併設して壁面を構成し、洗い場１１６に対応する１つの壁パネルにフックを設置した例である。これにより、設置されたフック１７０を用いて洗い場１１６に部材を設置することが可能となり、利便性が向上する。例えば、フック１７０に吊り下げる部材として後述する収納部材１９０を用いることにより、使用者が浴室１００の洗い場１１６で体や髪を洗うためにシャンプーやリンス等の物品を用いる際に最も使い勝手がよい。
【００５６】
フック１７０は、洗い場１１６の隅部において直交する２枚の壁パネルに亘って設置されているとよい。具体的には、図７（ａ）および（ｂ）に示すように配置される（図１においては、壁パネル１１２ｂおよび１１４ａに複数配列して設置されている。）。
【００５７】
図７（ａ）は、短辺を水平とした壁パネルを水平方向に並設して壁面を構成し、洗い場１１６の隅部において直交する２つの壁パネルにフックを設置した例である。図７（ｂ）は、長辺を水平とした壁パネルを垂直方向に併設して壁面を構成し、洗い場１１６の隅部において直交する２つの壁パネルにフックを設置した例である。これにより、設置されたフック１７０を点とし、かかる点を水平方向に結ぶとその軌跡はＬ字状となるため、Ｌ字状の軌跡を形成する複数のフック１７０に、Ｌ字状の軸部材等を設置することが可能となり、高い強度を得ることができる。なお、この詳細については後に詳述する。
【００５８】
フック１７０は、１つの壁面を構成する複数の壁パネルのうち、隣接する２枚以上の壁パネルに連続的に設置されているとよい。具体的には、図６（ｃ）および（ｄ）に示すように配置される（図１においては、壁パネル１１２aおよび１１２ｂ、並びに壁パネル１１４ａおよび１１４ｂに複数配列して設置されている。）。
【００５９】
図６（ｃ）は、短辺を水平とした壁パネルを水平方向に並設して壁面を構成し、洗い場１１６に対応し、隣接する複数の壁パネルにフックを設置した例である。図６（ｄ）は、長辺を水平とした壁パネルを垂直方向に併設して壁面を構成し、洗い場１１６に対応し、隣接する複数の壁パネルにフックを設置した例である。これにより、フック１７０が設置される面積が拡大されるため、部材を広範囲に設置することが可能となり、利便性が向上する。
【００６０】
フック１７０は、壁パネルにおいて、洗い場１１６に対応する領域から、当該領域と隣接する領域である浴槽１２０に対応する領域に亘って連続的に設置されているとよい。具体的には、図８（ａ）および（ｂ）に示すように配置される（図１においては、洗い場１１６に対応する壁パネル１１４ａから浴槽１２０に対応する壁パネル１１４ｂに連続的に配置されている。）。
【００６１】
図８（ａ）は、短辺を水平とした壁パネルを水平方向に並設して壁面を構成し、洗い場１１６に対応する領域から、当該領域と隣接する領域である浴槽１２０に対応する領域に亘って連続的にフックを設置した例である。図８（ｂ）は、長辺を水平とした壁パネルを垂直方向に併設して壁面を構成し、洗い場１１６に対応する領域から、当該領域と隣接する領域である浴槽１２０に対応する領域に亘って連続的にフックを設置した例である。これにより浴槽１２０に対応する壁パネル１１４ｂにおいてもフック１７０が設けられるため、浴槽１２０に対応する壁パネル１１４ｂに後述する収納部材１９０等を設置することが可能となり、浴槽１２０において子供が使用する玩具等を最も使い勝手よく収納することができる。
【００６２】
したがって、上記の構成をすべて満たすようにした場合、フック１７０は、図８（ｃ）および（ｄ）に示すように配置されることとなる。図８（ｃ）は、短辺を水平とした壁パネルを水平方向に並設して壁面を構成し、洗い場１１６の隅部において直交する２つの壁パネルにフックを設置し、且つ洗い場１１６に対応する領域から、当該領域と隣接する領域である浴槽１２０に対応する領域に亘って連続的にフックを設置した例である。図８（ｄ）は、長辺を水平とした壁パネルを垂直方向に併設して壁面を構成し、洗い場１１６の隅部において直交する２つの壁パネルにフックを設置し、且つ洗い場１１６に対応する領域から、当該領域と隣接する領域である浴槽１２０に対応する領域に亘って連続的にフックを設置した例である。これにより、使用者の利便性を最も向上することが可能となる。
【００６３】
収納部材１９０は、シャンプーやリンス等の浴室で用いられる物品を収納するための部材である。収納部材１９０は、壁面に設置されたフック１７０に吊り下げられることにより、かかる壁面に設置される。
【００６４】
図４は、収納部材１９０の詳細を示す図である。図４（ａ）は収納部材１９０の正面斜視図であり、図４（ｂ）は収納部材１９０の背面斜視図である。図４（ａ）に示すように、収納部材１９０は受け皿状となっており、かかる受けの部分に、浴室１００で使用する物品を収納することができる。
【００６５】
また図４（ｂ）に示すように、収納部材１９０の背面には、溝１９０ａが設けられている。かかる溝１９０ａにフック１７０を掛合することにより、収納部材１９０を壁面に設置することができる。なお、本実施形態においては、収納部材１９０が有する溝１９０ａの数は２つであるが、これに限定されるものではなく、適宜変更することが可能である。また収納部材１９０の寸法も一例であり、これに限定されるものではない。
【００６６】
したがって、使用者が浴室で体や髪を洗うときに正面とする壁面、すなわちカラン１３０を備える壁面１１４に設置されたフック１７０に収納部材１９０の溝１９０ａを掛合することにより、当該収納部材１９０をフック１７０の軸部１７６に吊り下げ、かかる壁面１１４に当該収納部材１９０を設置することができる。これにより、使用者が収納された物品を用いる際に最も使い勝手がよくなり、利便性を向上することが可能となる。
【００６７】
また、カラン１３０を備える壁面１１４だけでなく、浴槽１２０に対向する壁面１１２に上記の収納部材１９０を設置することにより、親子等、複数の人間が浴室で体や髪を洗う際にも、カラン１３０の正面に位置する一方の人間を介することなく、他方の人間が浴室で用いられる物品を得ることができる。
【００６８】
図５は、壁面に設置する部材の他の例を示す図である。図５では、当該浴室１００を構成する壁面のうち、隣接する２面以上の壁面に設置され、Ｌ字状の軌跡を形成する複数のフック１７０にＬ字状の軸部材２１０を設置している。これにより、かかる軸部材２１０を、手摺として使用することができ、浴室での転倒事故を防止することができる。また直線状の軸部材２１２を浴室の壁面に設けることで、タオル掛け等として使用することができ、利便性を向上することができる。
【００６９】
上記説明したように、本実施形態にかかる浴室１００によれば、壁面１１２および１１４を構成する壁パネル１１２ａ、１１２ｂ、１１４ａ、１１４ｂに配列されたフック１７０を用いることで、浴室１００において使用する部材を使用者が真に所望する位置に自在に変更できることが可能となり、利便性の向上を図ることができる。
【００７０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００７１】
本発明は、部材の設置位置を自在に変更可能な壁面を備える浴室に利用することができる。
【図面の簡単な説明】
【００７２】
【図１】本実施形態にかかる浴室を示す図である。
【図２】フックの詳細を示す図である。
【図３】フックの軸部の他の収納例を示す図である。
【図４】収納部材の詳細を示す図である。
【図５】壁面に設置する部材の他の例を示す図である。
【図６】フックの壁パネルへの設置位置を示す図である。
【図７】フックの壁パネルへの設置位置を示す図である。
【図８】フックの壁パネルへの設置位置を示す図である。
【符号の説明】
【００７３】
１００  …浴室
１１２、１１４  …壁面
１１２ａ、１１２ｂ、１１４ａ、１１４ｂ  …壁パネル
１１６  …洗い場
１２０  …浴槽
１３０  …カラン
１４０  …シャワー
１５０  …照明
１６０  …鏡
１７０  …フック
１７２  …頭部
１７２ａ  …切欠
１７４  …螺子
１７６  …軸部
１７８  …リング
１８０  …ワッシャ
１８２  …収納部
１９０  …収納部材
１９０ａ  …溝
２１０、２１２  …軸部材
【図１】
2010110457.tif 000003
【図２】
2010110457.tif 000004
【図３】
2010110457.tif 000005
【図４】
2010110457.tif 000006
【図５】
2010110457.tif 000007
【図６】
2010110457.tif 000008
【図７】
2010110457.tif 000009
【図８】
2010110457.tif 000010